(57)【要約】【課題】記録媒体に予め記録されているアドレス等の情報を確実に再生することが可能な情報記録再生装置及び情報再生方法を提供することを目的とする。【解決手段】記録媒体上の記録位置を示すアドレスが互いに異なる少なくとも２系統の変調処理によって夫々変調されて多重記録されている記録媒体からアドレスを再生するにあたり、先ず、記録媒体から読み取られた読取信号に対して上記変調処理各々に対応した復調処理を施すことにより復調処理毎にアドレスデータ信号を夫々得る。次に、これらアドレスデータ信号各々に対して誤り訂正処理を施すことによりアドレスデータ信号各々に対応した訂正アドレスデータ信号を夫々得る。そして、アドレスデータ信号各々の内で最も誤り率の低いアドレスデータ信号に対応した訂正アドレスデータ信号を再生アドレスとして出力する。【選択図】　図３
2004071121.tif 000002
【特許請求の範囲】
【請求項１】
記録媒体上の記録位置を示すアドレスが互いに異なる少なくとも２系統の変調方式にて夫々変調処理されて記録されている記録媒体から前記アドレスを再生する情報記録再生装置であって、
前記記録媒体から読み取られた読取信号に対して前記変調処理各々に対応した復調処理を施すことにより前記復調処理毎にアドレスデータ信号を夫々得る復調手段と、
前記アドレスデータ信号各々に対して誤り訂正処理を施すことにより前記アドレスデータ信号各々に対応した訂正アドレスデータ信号を夫々得る誤り訂正手段と、
前記アドレスデータ信号各々の内で最も誤り率の低い前記アドレスデータ信号に対応した前記訂正アドレスデータ信号を再生アドレスとして出力するアドレス出力手段と、を有することを特徴とする情報記録再生装置。
【請求項２】
前記アドレスデータ信号各々に対して誤り検出処理を施すことにより前記アドレスデータ信号各々の誤り率、及び前記アドレスデータ信号各々が前記誤り訂正手段にて誤り訂正可能であるか否かを示す情報を含む誤り検出結果信号を得る誤り検出手段を更に備え、
前記アドレス出力手段は、前記誤り検出結果信号に基づいて前記アドレスデータ信号各々の内から誤り訂正可能でありかつ誤り率の最も低いアドレスデータ信号を判定する判定手段と、
前記訂正アドレスデータ信号各々の内から前記判定手段によって判定された前記アドレスデータ信号に対応した訂正アドレスデータ信号を選択しこれを前記再生アドレスとして出力する選択手段と、を含むことを特徴とする請求項１記載の情報記録再生装置。
【請求項３】
記録媒体上の記録位置を示すアドレスが互いに異なる少なくとも２系統の変調方式にて夫々変調処理されて記録されている記録媒体から前記アドレスを再生する情報記録再生装置であって、
前記記録媒体から読み取られた読取信号に対して前記変調処理各々に対応した復調処理を施すことにより前記復調処理毎に読取アドレス信号を夫々得る復調手段と、
前記復調処理毎に得られた前記読取アドレス信号の各々を互いに異なる合成比にて合成して複数の合成読取アドレス信号を得る合成手段と、
前記合成読取アドレス信号の各々を２値判定することによりアドレスデータ信号を夫々生成するアドレス生成手段と、
前記アドレスデータ信号各々に対して誤り訂正処理を施すことにより前記アドレスデータ信号各々に対応した訂正アドレスデータ信号を夫々得る誤り訂正手段と、
前記アドレスデータ信号各々の内で最も誤り率の低い前記アドレスデータ信号に対応した前記訂正アドレスデータ信号を再生アドレスとして出力するアドレス出力手段と、を有することを特徴とする情報記録再生装置。
【請求項４】
前記アドレスデータ信号各々に対して誤り検出処理を施すことにより前記アドレスデータ信号各々の誤り率、及び前記アドレスデータ信号各々が前記誤り訂正手段にて誤り訂正可能であるか否かを示す情報を含む誤り検出結果信号を得る誤り検出手段を更に備え、
前記アドレス出力手段は、前記誤り検出結果信号に基づいて前記アドレスデータ信号各々の内から誤り訂正可能でありかつ誤り率が最も低いアドレスデータ信号を判定する判定手段と、
前記訂正アドレスデータ信号各々の内から前記判定手段によって判定された前記アドレスデータ信号に対応した訂正アドレスデータ信号を選択しこれを前記再生アドレスとして出力する選択手段と、を含むことを特徴とする請求項３記載の情報記録再生装置。
【請求項５】
記録媒体上の記録位置を示すアドレスが互いに異なる少なくとも２系統の変調方式にて夫々変調処理されて記録されている記録媒体から前記アドレスを再生する情報再生方法であって、
前記記録媒体から読み取られた読取信号に対して前記変調処理各々に対応した復調処理を施すことにより前記復調処理毎にアドレスデータ信号を夫々得る復調行程と、
前記アドレスデータ信号各々に対して誤り訂正処理を施すことにより前記アドレスデータ信号各々に対応した訂正アドレスデータ信号を夫々得る誤り訂正行程と、
前記アドレスデータ信号各々の内で最も誤り率の低い前記アドレスデータ信号に対応した前記訂正アドレスデータ信号を再生アドレスとして出力するアドレス出力行程と、を有することを特徴とする情報再生方法。
【請求項６】
前記アドレスデータ信号各々に対して誤り検出処理を施すことにより前記アドレスデータ信号各々の誤り率及び前記アドレスデータ信号各々が誤り訂正可能であるか否かを示す情報を含む誤り検出結果信号を得る誤り検出行程を更に備え、
前記アドレス出力行程は、前記誤り検出結果信号に基づいて前記アドレスデータ信号各々の内から誤り訂正可能でありかつ誤り率が最も低いアドレスデータ信号を判定する判定行程と、
前記訂正アドレスデータ信号各々の内から前記判定手段によって判定された前記アドレスデータ信号に対応した訂正アドレスデータ信号を選択しこれを前記再生アドレスとして出力する選択行程と、を含むことを特徴とする請求項５記載の情報再生方法。
【請求項７】
記録媒体上の記録位置を示すアドレスが互いに異なる少なくとも２系統の変調方式にて夫々変調処理されて記録されている記録媒体から前記アドレスを再生する情報再生方法であって、
前記記録媒体から読み取られた読取信号に対して前記変調処理各々に対応した復調処理を施すことにより前記復調処理毎に読取アドレス信号を夫々得る復調行程と、
前記復調処理毎に得られた前記読取アドレス信号の各々を互いに異なる合成比にて合成して複数の合成読取アドレス信号を得る合成行程と、
前記合成読取アドレス信号の各々を２値判定することによりアドレスデータ信号を夫々生成するアドレス生成行程と、
前記アドレスデータ信号各々に対して誤り訂正処理を施すことにより前記アドレスデータ信号各々に対応した訂正アドレスデータ信号を夫々得る誤り訂正行程と、
前記アドレスデータ信号各々の内で最も誤り率の低い前記アドレスデータ信号に対応した前記訂正アドレスデータ信号を再生アドレスとして出力するアドレス出力行程と、を有することを特徴とする情報再生方法。
【請求項８】
前記アドレスデータ信号各々に対して誤り検出処理を施すことにより前記アドレスデータ信号各々の誤り率及び前記アドレスデータ信号各々が誤り訂正可能であるか否かを示す情報を含む誤り検出結果信号を得る誤り検出行程を更に備え、
前記アドレス出力行程は、前記誤り検出結果信号に基づいて前記アドレスデータ信号各々の内から誤り訂正可能でありかつ誤り率が最も低いアドレスデータ信号を判定する判定行程と、
前記訂正アドレスデータ信号各々の内から前記判定手段によって判定された前記アドレスデータ信号に対応した訂正アドレスデータ信号を選択しこれを前記再生アドレスとして出力する選択行程と、を含むことを特徴とする請求項７記載の情報再生方法。
【発明の詳細な説明】
【０００１】
【発明の属する技術分野】
本発明は、情報記録再生装置及び情報再生方法に関する。
【０００２】
【従来の技術】
近年、ＣＤ−ＲＷ、ＤＶＤ−ＲＷの如き情報データの書込が可能な記録ディスク、並びに、かかる記録ディスクに情報データを書き込むディスクレコーダが普及してきた。このような記録ディスクには、ディスク上の位置を表すアドレス（以下、ディスクアドレスと称する）が予め記録されている。ディスクレコーダは、この記録ディスクからディスクアドレスを再生してディスク上の記録位置を認識することにより、所望の記録位置から情報データの書込を開始する。
【０００３】
ところが、ディスク表面に傷、指紋、あるいは埃等が付着していると、記録ディスクから正しくディスクアドレスが読み取れなくなり、情報データの書込が正常に為されなくなる。
【０００４】
【発明が解決しようとする課題】
本発明は、かかる問題を解決せんとして為されたものであり、記録媒体に予め記録されているアドレス等の情報を確実に再生することが可能な情報記録再生装置及び情報再生方法を提供することを目的とする。
【０００５】
【課題を解決するための手段】
請求項１に記載の情報記録再生装置は、記録媒体上の記録位置を示すアドレスが互いに異なる少なくとも２系統の変調方式にて夫々変調処理されて記録されている記録媒体から前記アドレスを再生する情報記録再生装置であって、前記記録媒体から読み取られた読取信号に対して前記変調処理各々に対応した復調処理を施すことにより前記復調処理毎にアドレスデータ信号を夫々得る復調手段と、前記アドレスデータ信号各々に対して誤り訂正処理を施すことにより前記アドレスデータ信号各々に対応した訂正アドレスデータ信号を夫々得る誤り訂正手段と、前記アドレスデータ信号各々の内で最も誤り率の低い前記アドレスデータ信号に対応した前記訂正アドレスデータ信号を再生アドレスとして出力するアドレス出力手段と、を有する。
【０００６】
又、請求項３記載の情報記録再生装置は、記録媒体上の記録位置を示すアドレスが互いに異なる少なくとも２系統の変調方式にて夫々変調処理されて記録されている記録媒体から前記アドレスを再生する情報記録再生装置であって、前記記録媒体から読み取られた読取信号に対して前記変調処理各々に対応した復調処理を施すことにより前記復調処理毎に読取アドレス信号を夫々得る復調手段と、前記復調処理毎に得られた前記読取アドレス信号の各々を互いに異なる合成比にて合成して複数の合成読取アドレス信号を得る合成手段と、前記合成読取アドレス信号の各々を２値判定することによりアドレスデータ信号を夫々生成するアドレス生成手段と、前記アドレスデータ信号各々に対して誤り訂正処理を施すことにより前記アドレスデータ信号各々に対応した訂正アドレスデータ信号を夫々得る誤り訂正手段と、前記アドレスデータ信号各々の内で最も誤り率の低い前記アドレスデータ信号に対応した前記訂正アドレスデータ信号を再生アドレスとして出力するアドレス出力手段と、を有する。
【０００７】
又、請求項５に記載の情報再生方法は、記録媒体上の記録位置を示すアドレスが互いに異なる少なくとも２系統の変調方式にて夫々変調処理されて記録されている記録媒体から前記アドレスを再生する情報再生方法であって、前記記録媒体から読み取られた読取信号に対して前記変調処理各々に対応した復調処理を施すことにより前記復調処理毎にアドレスデータ信号を夫々得る復調行程と、前記アドレスデータ信号各々に対して誤り訂正処理を施すことにより前記アドレスデータ信号各々に対応した訂正アドレスデータ信号を夫々得る誤り訂正行程と、前記アドレスデータ信号各々の内で最も誤り率の低い前記アドレスデータ信号に対応した前記訂正アドレスデータ信号を再生アドレスとして出力するアドレス出力行程と、を有する。
【０００８】
又、請求項７に記載の情報再生方法は、記録媒体上の記録位置を示すアドレスが互いに異なる少なくとも２系統の変調方式にて夫々変調処理されて記録されている記録媒体から前記アドレスを再生する情報再生方法であって、前記記録媒体から読み取られた読取信号に対して前記変調処理各々に対応した復調処理を施すことにより前記復調処理毎に読取アドレス信号を夫々得る復調行程と、前記復調処理毎に得られた前記読取アドレス信号の各々を互いに異なる合成比にて合成して複数の合成読取アドレス信号を得る合成行程と、前記合成読取アドレス信号の各々を２値判定することによりアドレスデータ信号を夫々生成するアドレス生成行程と、前記アドレスデータ信号各々に対して誤り訂正処理を施すことにより前記アドレスデータ信号各々に対応した訂正アドレスデータ信号を夫々得る誤り訂正行程と、前記アドレスデータ信号各々の内で最も誤り率の低い前記アドレスデータ信号に対応した前記訂正アドレスデータ信号を再生アドレスとして出力するアドレス出力行程と、を有する。
【０００９】
【発明の実施の形態】
図１は、情報データの書込が可能な記録ディスクを製造する為の原盤記録装置の構成を示す図である。
図１において、スピンドルモータ１は、その表面に電子ビーム用のレジスト層が形成されている原盤２を回転する。送りステージ３は、原盤２及びスピンドルモータ１を原盤２の半径方向に移動する。電子ビーム照射装置４は、電子ビームを原盤２のレジスト層表面に照射する。
【００１０】
アドレス発生回路５は、記録ディスク上の位置を表すディスクアドレスを発生して誤り訂正符号化回路６に供給する。誤り訂正符号化回路６は、上記ディスクアドレスに誤り訂正用の冗長ビットを付加した符号化アドレスデータＡＤを生成し、これを第１変調回路７、第２変調回路８及び第３変調回路９の各々に供給する。第１変調回路７は、符号化アドレスデータＡＤに対して所定の第１変調を施して得られた第１変調アドレス信号ＡＣ１を時分割多重化回路１０に供給する。第２変調回路８は、符号化アドレスデータＡＤに対して上記第１変調とは異なる変調方式の第２変調を施して得られた第２変調アドレス信号ＡＣ２を時分割多重化回路１０に供給する。第３変調回路９は、符号化アドレスデータＡＤに対して上記第１変調及び第２変調のいずれとも異なる変調方式の第３変調を施して得られた第３変調アドレス信号ＡＣ３を時分割多重化回路１０に供給する。
【００１１】
時分割多重化回路１０は、第１変調アドレス信号ＡＣ１、第２変調アドレス信号ＡＣ２及び第３変調アドレス信号ＡＣ３を例えば図２に示す如き形態にて時分割多重化した多重化アドレス変調信号ＭＡＣを記録制御回路１１に供給する。
記録制御回路１１は、多重化アドレス変調信号ＭＡＣに従って電子ビームの照射軸をディスク半径方向に振動させつつ電子ビームを原盤２のレジスト層表面に照射させるべく電子ビーム照射装置４を制御する。更に、記録制御回路１１は、レジスト層表面に対する電子ビームの照射位置をディスク内周から外周側に徐々に移動させるべく送りステージ３を制御する。
【００１２】
以上の如き動作により、原盤２のレジスト層表面において電子ビームの照射された箇所に潜像が形成される。すなわち、原盤２のレジスト層表面には、多重化アドレス変調信号ＭＡＣの波形に応じた形態で蛇行（ウォブリング）した記録トラックを担う潜像が形成されるのである。原盤２のレジスト層への記録（潜像の形成）が終了すると、このレジスト層に形成されている潜像部のみを削除してマスクパターンを作成する。次に、このマスクパターンを用いることにより記録トラックを担う凸形状又は凹形状のスタンパを作成する。そして、かかるスタンパにより、多重化アドレス変調信号ＭＡＣの波形に応じた形態で蛇行した記録トラックを有する、記録ディスクを複製するのである。
【００１３】
すなわち、かかる記録ディスクには、互いに異なる３つの変調方式にて夫々変調されたディスクアドレスが時分割多重化されて記録されているのである。
図３は、かかる記録ディスクに対して情報データを記録又は再生する情報記録再生装置の構成を示す図である。
図３において、記録変調回路３１は、記録ディスク３０に記録すべき情報データに対して所定の記録変調方式に従った変調処理を施して得られた変調記録信号を記録再生ヘッド３２に供給する。記録再生ヘッド３２は、スピンドルモータ３３によって回転する記録ディスク３０の記録面に記録ビーム光又は読取ビーム光を照射する。すなわち、記録再生ヘッド３２は、記録ディスク３０に情報データを記録するとき、つまり記録動作時には、上記変調記録信号に応じた記録ビーム光を記録ディスク３０の記録面に照射する。一方、記録ディスク３０から情報データを再生するとき、つまり再生動作時には、記録再生ヘッド３２は、記録ディスク３０の記録面に読取ビーム光を照射し、その反射光を図４に示す如き形態で配置された４つの光検出器２０ａ〜２０ｄにて受光する。記録再生ヘッド３２に搭載されている光検出器２０ａ〜２０ｄの各々は、夫々受光した反射光を光電変換して得た読取信号Ｒａ〜Ｒｄを加算読取信号生成回路３４及びプッシュプル読取信号生成回路３５の各々に供給する。加算読取信号生成回路３４は、上記読取信号Ｒａ〜Ｒｄ各々を加算して得た加算読取信号ＲＳＵＭを情報データ復調回路３６に供給する。情報データ復調回路３６は、かかる加算読取信号ＲＳＵＭに対して所定の復調処理を行うことにより、記録ディスク３０に記録されていた情報データを復元し、これを再生情報データとして出力する。
【００１４】
プッシュプル読取信号生成回路３５は、上記読取信号Ｒａ〜Ｒｄ各々を用いた下記演算によりプッシュプル読取信号ＲＰＰを生成し、これを第１復調回路３７、第２復調回路３８及び第３復調回路３９に夫々供給する。
ＲＰＰ＝（Ｒａ＋Ｒｂ）−（Ｒｃ＋Ｒｄ）
第１復調回路３７は、プッシュプル読取信号ＲＰＰに対して、上記第１変調回路７による第１変調に対応した復調処理を施すことにより上記符号化アドレスデータＡＤに対応した読取信号を復調し、これを第１アドレス読取信号ＲＡ１として第１アドレス生成回路４０に供給する。第１アドレス生成回路４０は、第１アドレス読取信号ＲＡ１に対して２値判定を行うことにより符号化アドレスデータを生成し、これを符号化アドレスデータＡＤ１として誤り検出・訂正回路４１に供給する。誤り検出・訂正回路４１は、符号化アドレスデータＡＤ１に対して誤り検出処理を施してその誤り検出結果を表す誤り検出結果信号ＥＲ１を誤り判定回路４７に供給する。更に、誤り検出・訂正回路４１は、上記符号化アドレスデータＡＤ１に対して誤り訂正処理を施して、誤り訂正された訂正アドレスデータＡ１をセレクタ４６に供給する。
【００１５】
第２復調回路３８は、上記プッシュプル読取信号ＲＰＰに対して、上記第２変調回路８による第２変調に対応した復調処理を施すことにより上記符号化アドレスデータＡＤに対応した読取信号を復調し、これを第２アドレス読取信号ＲＡ２として第２アドレス生成回路４２に供給する。第２アドレス生成回路４２は、第２アドレス読取信号ＲＡ２に対して２値判定を行うことにより符号化アドレスデータを生成し、これを符号化アドレスデータＡＤ２として誤り検出・訂正回路４３に供給する。誤り検出・訂正回路４３は、符号化アドレスデータＡＤ２に対して誤り検出処理を施してその誤り検出結果を表す誤り検出結果信号ＥＲ２を誤り判定回路４７に供給する。更に、誤り検出・訂正回路４３は、上記符号化アドレスデータＡＤ２に対して誤り訂正処理を施して、誤り訂正された訂正アドレスデータＡ２をセレクタ４６に供給する。
【００１６】
第３復調回路３９は、上記プッシュプル読取信号ＲＰＰに対して、上記第３変調回路９による第３変調に対応した復調処理を施すことにより上記符号化アドレスデータＡＤに対応した読取信号を復調し、これを第３アドレス読取信号ＲＡ３として第３アドレス生成回路４４に供給する。第３アドレス生成回路４４は、第３アドレス読取信号ＲＡ３に対して２値判定を行うことにより符号化アドレスデータを生成し、これを符号化アドレスデータＡＤ３として誤り検出・訂正回路４５に供給する。誤り検出・訂正回路４５は、符号化アドレスデータＡＤ３に対して誤り検出処理を施してその誤り検出結果を表す誤り検出結果信号ＥＲ３を誤り判定回路４７に供給する。更に、誤り検出・訂正回路４５は、上記符号化アドレスデータＡＤ３に対して誤り訂正処理を施して、誤り訂正された訂正アドレスデータＡ３をセレクタ４６に供給する。
【００１７】
尚、上記誤り検出結果信号ＥＲ１〜ＥＲ３の各々は、例えば、以下の４通りの誤り状態Ｃ０〜Ｃ３を表す。
Ｃ０：誤り無し
Ｃ１：誤り訂正可能、１符号ブロック内の誤り個数＝１個
Ｃ２：誤り訂正可能、１符号ブロック内の誤り個数＝２個
Ｃ３：誤り訂正不可能
すなわち、誤り状態Ｃ０の場合には、符号化アドレスデータＡＤには誤りが存在しない為、訂正アドレスデータＡの信頼度が最も高い。又、誤り状態Ｃ１の場合には、符号化アドレスデータＡＤにおける各符号ブロック内には１個の誤りシンボルが存在する為、例え誤り検出・訂正回路によって誤り訂正が為されても、その訂正後の訂正アドレスデータＡに対する信頼度は上記誤り状態Ｃ０のときよりも低い。又、誤り状態Ｃ２の場合には、符号化アドレスデータＡＤにおける各符号ブロック内には２個の誤りが存在する為、例え誤り検出・訂正回路によって誤り訂正が為されても、その訂正後の訂正アドレスデータＡに対する信頼度は上記誤り状態Ｃ１のときよりも低い。更に、誤り状態Ｃ３の場合には、誤り検出・訂正回路による誤り訂正が不可能である為、訂正アドレスデータＡに対する信頼度が最も低い。
【００１８】
誤り判定回路４７は、誤り検出結果信号ＥＲ１〜ＥＲ３の内で、訂正可能な誤り個数（１符号ブロックあたりの誤り数）が最も少ない誤り状態、すなわち、訂正可能であり、かつ誤り率が最も低い誤り状態を表す誤り検出結果信号ＥＲを判定する。そして、誤り判定回路４７は、この判定された誤り検出結果信号ＥＲに対応した訂正アドレスデータＡを選択させるべき選択信号をセレクタ４６に供給する。
【００１９】
セレクタ４６は、誤り検出・訂正回路４１、４３及び４５各々から供給された訂正アドレスデータＡ１〜Ａ３の内から、上記選択信号に応じた１つを選択し、これを再生ディスクアドレスＡＤＲとして記録再生制御回路４８に供給する。記録再生制御回路４８は、ユーザからの各種操作に応じてこの情報記録再生装置の各種記録動作及び再生動作を実施させるべく、記録再生ヘッド３２、スピンドルモータ３３及び記録再生ヘッド３２をディスク半径方向に移送せしめるスライダ機構（図示せぬ）を制御する。尚、記録動作時には、記録再生制御回路４８は、記録ディスク３０上の所望のディスク位置から記録を開始させるべく、上記再生ディスクアドレスＡＤＲに基づきそのディスク位置の検索を行う。
【００２０】
以上の如く、図３に示す情報記録再生装置においては、先ず、記録ディスク３０から読み取られた読取信号から、互いに異なる３種類の変調方式（第１変調〜第３変調）にて夫々変調されているディスクアドレスを個別に復調して、符号化アドレスデータＡＤ１〜ＡＤ３を得る。次に、符号化アドレスデータＡＤ１〜ＡＤ３各々に対して誤り訂正処理を施すことにより訂正アドレスデータＡ１〜Ａ３を夫々得る。更に、符号化アドレスデータＡＤ１〜ＡＤ３各々に対して個別に誤り検出を行うことにより符号化アドレスデータＡＤ１〜ＡＤ３各々の誤り状態を表す誤り検出結果信号ＥＲ１〜ＥＲ３を夫々得る。そして、これら誤り検出結果信号ＥＲ１〜ＥＲ３の内で、訂正可能であり、かつ誤り率の最も低い誤り状態を表す誤り検出結果信号ＥＲに対応した訂正アドレスデータＡを、最終的な再生ディスクアドレスとするのである。
【００２１】
よって、図３に示す情報記録再生装置によれば、例え記録ディスクの表面に傷、指紋、あるいは埃等が付着していても、比較的信頼性の高いディスクアドレスをこの記録ディスクから取得することが可能となる。
尚、上記実施例においては、ディスクアドレスを互いに異なる３つの変調方式にて変調し、各々を時分割多重化して記録ディスクに記録するようにしているが、ディスクアドレスを変調して多重化する数は２つあるいは４つ以上の複数であっても良い。
【００２２】
図５は、情報記録再生装置の他の構成を示す図である。
尚、図５に示す記録ディスク３０、記録変調回路３１、記録再生ヘッド３２、スピンドルモータ３３、加算読取信号生成回路３４、プッシュプル読取信号生成回路３５、情報データ復調回路３６、第１〜第３復調回路３７〜３９及び記録再生制御回路４８各々の動作は、図３に示されるものと同一であるので説明は省略する。
【００２３】
図５において、合成回路５０は、第１復調回路３７、第２復調回路３８及び第３復調回路３９から供給された第１アドレス読取信号ＲＡ１〜第３アドレス読取信号ＲＡ３各々を互いに異なる合成比にて合成して４系統の合成アドレス読取信号ＲＫ１〜ＲＫ４を生成する。
図６は、かかる合成回路５０の内部構成を示す図である。
【００２４】
図６において、係数乗算器５１は、第１アドレス読取信号ＲＡ１に所定の係数Ｊ１を乗算して得られた乗算結果を加算器５２に供給する。係数乗算器５３は、第２アドレス読取信号ＲＡ２に所定の係数Ｋ１を乗算して得られた乗算結果を加算器５２に供給する。係数乗算器５４は、第３アドレス読取信号ＲＡ３に所定の係数Ｌ１を乗算して得られた乗算結果を加算器５２に供給する。加算器５２は、係数乗算器５１、５３、及び５４各々の乗算結果を加算したものを合成アドレス読取信号ＲＫ１として出力する。
【００２５】
係数乗算器５５は、第１アドレス読取信号ＲＡ１に所定の係数Ｊ２を乗算して得られた乗算結果を加算器５６に供給する。係数乗算器５７は、第２アドレス読取信号ＲＡ２に所定の係数Ｋ２を乗算して得られた乗算結果を加算器５６に供給する。係数乗算器５８は、第３アドレス読取信号ＲＡ３に所定の係数Ｌ２を乗算して得られた乗算結果を加算器５６に供給する。加算器５６は、係数乗算器５５、５７、及び５８各々の乗算結果を加算したものを合成アドレス読取信号ＲＫ２として出力する。
【００２６】
係数乗算器５９は、第１アドレス読取信号ＲＡ１に所定の係数Ｊ３を乗算して得られた乗算結果を加算器６０に供給する。係数乗算器６１は、第２アドレス読取信号ＲＡ２に所定の係数Ｋ３を乗算して得られた乗算結果を加算器６０に供給する。係数乗算器６２は、第３アドレス読取信号ＲＡ３に所定の係数Ｌ３を乗算して得られた乗算結果を加算器６０に供給する。加算器６０は、係数乗算器５９、６１、及び６２各々の乗算結果を加算したものを合成アドレス読取信号ＲＫ３として出力する。
【００２７】
係数乗算器６３は、第１アドレス読取信号ＲＡ１に所定の係数Ｊ４を乗算して得られた乗算結果を加算器６４に供給する。係数乗算器６５は、第２アドレス読取信号ＲＡ２に所定の係数Ｋ４を乗算して得られた乗算結果を加算器６４に供給する。係数乗算器６６は、第３アドレス読取信号ＲＡ３に所定の係数Ｌ４を乗算して得られた乗算結果を加算器６４に供給する。加算器６４は、係数乗算器６３、６５、及び６６各々の乗算結果を加算したものを合成アドレス読取信号ＲＫ４として出力する。
【００２８】
尚、合成アドレス読取信号ＲＫ１〜ＲＫ４各々での第１アドレス読取信号ＲＡ１〜第３アドレス読取信号ＲＡ３に対する合成比、つまり、
Ｊ１：Ｋ１：Ｌ１
Ｊ２：Ｋ２：Ｌ２
Ｊ３：Ｋ３：Ｌ３
Ｊ４：Ｋ４：Ｌ４
の各々は、互いに異なる比率である。
【００２９】
合成回路５０は、合成アドレス読取信号ＲＫ１〜ＲＫ４を夫々、第１アドレス生成回路５１、第２アドレス生成回路５２、第３アドレス生成回路５３、第４アドレス生成回路５４に供給する。
第１アドレス生成回路５１は、合成アドレス読取信号ＲＫ１に対して２値判定を行うことにより符号化アドレスデータを生成し、これを符号化アドレスデータＡＤ１として誤り検出・訂正回路５５に供給する。誤り検出・訂正回路５５は、符号化アドレスデータＡＤ１に対して誤り検出処理を施してその誤り検出結果を表す誤り検出結果信号ＥＲ１を誤り判定回路５６に供給する。更に、誤り検出・訂正回路５５は、上記符号化アドレスデータＡＤ１に対して誤り訂正処理を施して、誤り訂正された訂正アドレスデータＡ１をセレクタ５７に供給する。
【００３０】
第２アドレス生成回路５２は、合成アドレス読取信号ＲＫ２に対して２値判定を行うことにより符号化アドレスデータを生成し、これを符号化アドレスデータＡＤ２として誤り検出・訂正回路５８に供給する。誤り検出・訂正回路５８は、符号化アドレスデータＡＤ２に対して誤り検出処理を施してその誤り検出結果を表す誤り検出結果信号ＥＲ２を誤り判定回路５６に供給する。更に、誤り検出・訂正回路５８は、上記符号化アドレスデータＡＤ２に対して誤り訂正処理を施して、誤り訂正された訂正アドレスデータＡ２をセレクタ５７に供給する。
【００３１】
第３アドレス生成回路５３は、合成アドレス読取信号ＲＫ３に対して２値判定を行うことにより符号化アドレスデータを生成し、これを符号化アドレスデータＡＤ３として誤り検出・訂正回路５９に供給する。誤り検出・訂正回路５９は、符号化アドレスデータＡＤ３に対して誤り検出処理を施してその誤り検出結果を表す誤り検出結果信号ＥＲ３を誤り判定回路５６に供給する。更に、誤り検出・訂正回路５９は、上記符号化アドレスデータＡＤ３に対して誤り訂正処理を施して、誤り訂正された訂正アドレスデータＡ３をセレクタ５７に供給する。
【００３２】
第４アドレス生成回路５４は、合成アドレス読取信号ＲＫ４に対して２値判定を行うことにより符号化アドレスデータを生成し、これを符号化アドレスデータＡＤ４として誤り検出・訂正回路６０に供給する。誤り検出・訂正回路６０は、符号化アドレスデータＡＤ４に対して誤り検出処理を施してその誤り検出結果を表す誤り検出結果信号ＥＲ４を誤り判定回路５６に供給する。更に、誤り検出・訂正回路６０は、上記符号化アドレスデータＡＤ４に対して誤り訂正処理を施して、誤り訂正された訂正アドレスデータＡ４をセレクタ５７に供給する。
【００３３】
尚、上記誤り検出結果信号ＥＲ１〜ＥＲ４の各々は、例えば、以下の４通りの誤り状態Ｃ０〜Ｃ３を表す。
Ｃ０：誤り無し
Ｃ１：誤り訂正可能、１符号ブロック内の誤り個数＝１個
Ｃ２：誤り訂正可能、１符号ブロック内の誤り個数＝２個
Ｃ３：誤り訂正不可能
すなわち、誤り状態Ｃ０の場合には、符号化アドレスデータＡＤには誤りが存在しない為、訂正アドレスデータＡの信頼度が最も高い。又、誤り状態Ｃ１の場合には、符号化アドレスデータＡＤにおける各符号ブロック内には１個の誤りが存在する為、例え誤り検出・訂正回路によって誤り訂正が為されても、その訂正後の訂正アドレスデータＡに対する信頼度は上記誤り状態Ｃ０のときよりも低い。又、誤り状態Ｃ２の場合には、符号化アドレスデータＡＤにおける各符号ブロック内には２個の誤りが存在する為、例え誤り検出・訂正回路によって誤り訂正が為されても、その訂正後の訂正アドレスデータＡに対する信頼度は上記誤り状態Ｃ１のときよりも低い。更に、誤り状態Ｃ３の場合には、誤り検出・訂正回路による誤り訂正が不可能である為、訂正アドレスデータＡに対する信頼度が最も低い。
【００３４】
誤り判定回路５６は、誤り検出結果信号ＥＲ１〜ＥＲ４の内で、訂正可能な誤り個数（１符号ブロックあたりの誤り数）の最も少ない誤り状態、つまり訂正可能でありかつ誤り率の最も低い誤り状態を表す誤り検出結果信号ＥＲを判定する。そして、誤り判定回路５６は、この判定された誤り検出結果信号ＥＲに対応した訂正アドレスデータＡを選択させるべき選択信号をセレクタ５７に供給する。
【００３５】
セレクタ５７は、誤り検出・訂正回路５５、５８、５９及び６０各々から供給された訂正アドレスデータＡ１〜Ａ４の内から、上記選択信号に応じた１つを選択し、これを再生ディスクアドレスＡＤＲとして記録再生制御回路４８に供給する。記録再生制御回路４８は、ユーザからの各種操作に応じてこの情報記録再生装置の各種記録動作及び再生動作を実施させるべく、記録再生ヘッド３２、スピンドルモータ３３及び記録再生ヘッド３２をディスク半径方向に移送せしめるスライダ機構（図示せぬ）を制御する。尚、記録動作時には、記録再生制御回路４８は、記録ディスク３０上の所望のディスク位置から記録を開始させるべく、上記再生ディスクアドレスＡＤＲに基づきそのディスク位置の検索を行う。
【００３６】
以上の如く、図５に示す情報記録再生装置においては、先ず、記録ディスク３０から読み取られた読取信号から、互いに異なる３種類の変調方式（第１変調〜第３変調）にて夫々変調されているディスクアドレスを個別に復調して第１アドレス読取信号ＲＡ１〜第３アドレス読取信号ＲＡ３を得る。次に、これら第１アドレス読取信号ＲＡ１〜第３アドレス読取信号ＲＡ３各々を、互いに異なる合成比にて合成した４系統の合成アドレス読取信号ＲＫ１〜ＲＫ４を生成する。次に、これら合成アドレス読取信号ＲＫ１〜ＲＫ４各々に対して個別に２値判定を行うことにより、符号化アドレスデータＡＤ１〜ＡＤ４を得る。次に、符号化アドレスデータＡＤ１〜ＡＤ４各々に対して誤り訂正処理を施すことにより訂正アドレスデータＡ１〜Ａ４を得ると共に、符号化アドレスデータＡＤ１〜ＡＤ４各々に対して誤り検出を実施して各々の誤り状態を表す誤り検出結果信号ＥＲ１〜ＥＲ４を得る。そして、誤り検出結果信号ＥＲ１〜ＥＲ４各々の内で、訂正可能でありかつ最も誤り率の低い誤り状態を表す誤り検出結果信号ＥＲに対応した訂正アドレスデータＡを、最終的な再生ディスクアドレスとするのである。
【００３７】
よって、図５に示す情報記録再生装置によれば、例え記録ディスクの表面に傷、指紋、あるいは埃等が付着していても、比較的信頼性の高いディスクアドレスをこの記録ディスクから取得することが可能となる。
尚、図３及び図５に示す情報記録再生装置では、アドレス生成回路（４０、４２、４４、５１〜５４）の数の分だけ誤り検出・訂正回路（４１、４３、４５、５５、５８〜６０）を用いているが、アドレス生成回路の数に拘わらずに誤り検出・訂正回路を１系統にすることも可能である。
【００３８】
図７は、かかる点に鑑みて為された図３に示す情報記録再生装置の変形例を示す図である。
図７に示す情報記録再生装置においては、図３に示されている３つの誤り検出・訂正回路４１、４３及び４５に代わり単一の誤り検出・訂正回路７１を採用し、第１〜第３アドレス生成回路（４０、４２、４４）及びセレクタ４６間にメモリ７０及び７２〜７９を追加したものである。尚、その他、図３に示す機能モジュールと同一の符号が付されている機能モジュール各々の動作は図３に示すものと同一であるので、その説明は省略する。
【００３９】
図７において、メモリ７０は、第１アドレス生成回路４０によって生成された上記符号化アドレスデータＡＤ１を順次記憶する。又、メモリ７０は、記録再生制御回路８０からメモリアクセス信号Ｍ１が供給されている間は、記憶した順に上記符号化アドレスデータＡＤ１を読み出し、これを符号化アドレスデータＡＤとして誤り検出・訂正回路７１に供給する。
【００４０】
メモリ７２は、第２アドレス生成回路４２によって生成された上記符号化アドレスデータＡＤ２を順次記憶する。又、メモリ７２は、記録再生制御回路８０からメモリアクセス信号Ｍ２が供給されている間は、記憶した順に上記符号化アドレスデータＡＤ２を読み出し、これを符号化アドレスデータＡＤとして誤り検出・訂正回路７１に供給する。
【００４１】
メモリ７３は、第３アドレス生成回路４４によって生成された上記符号化アドレスデータＡＤ３を順次記憶する。又、メモリ７３は、記録再生制御回路８０からメモリアクセス信号Ｍ３が供給されている間は、記憶した順に上記符号化アドレスデータＡＤ３を読み出し、これを符号化アドレスデータＡＤとして誤り検出・訂正回路７１に供給する。
【００４２】
誤り検出・訂正回路７１は、メモリ７０、７２又は７３から供給された符号化アドレスデータＡＤに対して誤り検出処理を施してその誤り検出結果を表す誤り検出結果信号ＥＲをメモリ７７〜７９の各々に供給する。更に、誤り検出・訂正回路７１は、上記符号化アドレスデータＡＤに対して誤り訂正処理を施して、誤り訂正された訂正アドレスデータＡをメモリ７４〜７６の各々に供給する。
【００４３】
尚、上記誤り検出結果信号ＥＲは、例えば、以下の４通りの誤り状態Ｃ０〜Ｃ３を表す。
Ｃ０：誤り無し
Ｃ１：誤り訂正可能、１符号ブロック内の誤り個数＝１個
Ｃ２：誤り訂正可能、１符号ブロック内の誤り個数＝２個
Ｃ３：誤り訂正不可能
メモリ７４は、記録再生制御回路８０からメモリアクセス信号Ｍ１が供給されている間は、誤り検出・訂正回路７１から供給された訂正アドレスデータＡを訂正アドレスデータＡ１として順次記憶する。又、メモリ７４は、誤り判定回路４７から選択信号Ｓ１が供給されている間は、記憶した順に上記訂正アドレスデータＡ１を読み出し、これを再生ディスクアドレスＡＤＲとして記録再生制御回路８０に供給する。
【００４４】
メモリ７５は、記録再生制御回路８０からメモリアクセス信号Ｍ２が供給されている間は、誤り検出・訂正回路７１から供給された訂正アドレスデータＡを訂正アドレスデータＡ２として順次記憶する。又、メモリ７５は、誤り判定回路４７から選択信号Ｓ２が供給されている間は、記憶した順に上記訂正アドレスデータＡ２を読み出し、これを再生ディスクアドレスＡＤＲとして記録再生制御回路８０に供給する。
【００４５】
メモリ７６は、記録再生制御回路８０からメモリアクセス信号Ｍ３が供給されている間は、誤り検出・訂正回路７１から供給された訂正アドレスデータＡを訂正アドレスデータＡ３として順次記憶する。又、メモリ７６は、誤り判定回路４７から選択信号Ｓ３が供給されている間は、記憶した順に上記訂正アドレスデータＡ３読み出し、これを再生ディスクアドレスＡＤＲとして記録再生制御回路８０に供給する。
【００４６】
メモリ７７は、記録再生制御回路８０からメモリアクセス信号Ｍ１が供給されている間は、誤り検出・訂正回路７１から供給された誤り検出結果信号ＥＲを記憶する。又、メモリ７７は、記録再生制御回路８０からメモリリード信号ＲＤが供給されている間は、記憶した上記誤り検出結果信号ＥＲを読み出し、これを誤り検出結果信号ＥＲ１として誤り判定回路４７に供給する。
【００４７】
メモリ７８は、記録再生制御回路８０からメモリアクセス信号Ｍ２が供給されている間は、誤り検出・訂正回路７１から供給された誤り検出結果信号ＥＲを記憶する。又、メモリ７８は、記録再生制御回路８０からメモリリード信号ＲＤが供給されている間は、記憶した上記誤り検出結果信号ＥＲを読み出し、これを誤り検出結果信号ＥＲ２として誤り判定回路４７に供給する。
【００４８】
メモリ７９は、記録再生制御回路８０からメモリアクセス信号Ｍ３が供給されている間は、誤り検出・訂正回路７１から供給された誤り検出結果信号ＥＲを記憶する。又、メモリ７８は、記録再生制御回路８０からメモリリード信号ＲＤが供給されている間は、記憶した上記誤り検出結果信号ＥＲを読み出し、これを誤り検出結果信号ＥＲ３として誤り判定回路４７に供給する。
【００４９】
記録再生制御回路８０は、先ず、上記メモリアクセス信号Ｍ１〜Ｍ３の内のＭ１のみをメモリ７０、７４及び７７に供給する。これにより、第１アドレス生成回路４０によって生成された符号化アドレスデータＡＤ１がメモリ７０を介して誤り検出・訂正回路７１に供給され、その誤り訂正結果がメモリ７４、誤り検出結果がメモリ７７に夫々記憶される。つまり、符号化アドレスデータＡＤ１に対する誤り訂正結果である訂正アドレスデータＡ１がメモリ７４に記憶されると共に、符号化アドレスデータＡＤ１に対する誤り検出結果である誤り検出結果信号ＥＲ１がメモリ７７に記憶されるのである。
【００５０】
次に、記録再生制御回路８０は、上記メモリアクセス信号Ｍ１〜Ｍ３の内のＭ２のみをメモリ７２、７５及び７８に供給する。これにより、第２アドレス生成回路４２によって生成された符号化アドレスデータＡＤ２がメモリ７２を介して誤り検出・訂正回路７１に供給され、その誤り訂正結果がメモリ７５、誤り検出結果がメモリ７８に夫々記憶される。つまり、符号化アドレスデータＡＤ２に対する誤り訂正結果である訂正アドレスデータＡ２がメモリ７５に記憶されると共に、符号化アドレスデータＡＤ２に対する誤り検出結果である誤り検出結果信号ＥＲ２がメモリ７８に記憶されるのである。
【００５１】
次に、記録再生制御回路８０は、上記メモリアクセス信号Ｍ１〜Ｍ３の内のＭ３のみをメモリ７３、７６及び７９に供給する。これにより、第３アドレス生成回路４４によって生成された符号化アドレスデータＡＤ３がメモリ７３を介して誤り検出・訂正回路７１に供給され、その誤り訂正結果がメモリ７６、誤り検出結果がメモリ７９に夫々記憶される。つまり、符号化アドレスデータＡＤ３に対する誤り訂正結果である訂正アドレスデータＡ３がメモリ７６に記憶されると共に、符号化アドレスデータＡＤ３に対する誤り検出結果である誤り検出結果信号ＥＲ３がメモリ７９に記憶されるのである。
【００５２】
次に、記録再生制御回路８０は、メモリリード信号ＲＤをメモリ７４〜７９に供給する。これにより、メモリ７７〜７９各々に記憶されていた誤り検出結果信号ＥＲ１〜ＥＲ３の各々が誤り判定回路４７に供給される。
誤り判定回路４７は、先ず、誤り検出結果信号ＥＲ１〜ＥＲ３の内で、訂正可能な誤り個数（１符号ブロックあたりの誤り数）の最も少ない誤り状態、つまり訂正可能でありかつ誤り率の最も低い誤り状態を表す誤り検出結果信号ＥＲを選出する。そして、誤り判定回路４７は、メモリ７４〜７６の内から、上述した如く選出された誤り検出結果信号ＥＲに対応した訂正アドレスデータＡが記憶されているメモリに対してのみ選択信号Ｓを供給する。すなわち、選出された誤り検出結果信号ＥＲが訂正アドレスデータＡ１に対応したものである場合、誤り判定回路４７は、選択信号Ｓ１をメモリ７４に供給する。又、選出された誤り検出結果信号ＥＲが訂正アドレスデータＡ２に対応したものである場合、誤り判定回路４７は、選択信号Ｓ２をメモリ７５に供給する。又、選出された誤り検出結果信号ＥＲが訂正アドレスデータＡ３に対応したものである場合、誤り判定回路４７は、選択信号Ｓ３をメモリ７６に供給するのである。この際、メモリ７４〜７６のいずれか１つから読み出された訂正アドレスデータＡは、再生ディスクアドレスＡＤＲとして記録再生制御回路８０に供給される。記録再生制御回路８０は、ユーザからの各種操作に応じてこの情報記録再生装置の各種記録動作及び再生動作を実施させるべく、記録再生ヘッド３２、スピンドルモータ３３及び記録再生ヘッド３２をディスク半径方向に移送せしめるスライダ機構（図示せぬ）を制御する。尚、記録動作時には、記録再生制御回路８０は、記録ディスク３０上の所望のディスク位置から記録を開始させるべく、上記再生ディスクアドレスＡＤＲに基づきそのディスク位置の検索を行う。
【００５３】
図８は、図５に示す情報記録再生装置の変形例を示す図である。
図８に示す情報記録再生装置においては、図５に示されている４つの誤り検出・訂正回路５５、５８、５９及び６０に代わり単一の誤り検出・訂正回路８２を採用し、第１〜第４アドレス生成回路５１〜５４及びセレクタ５７間にメモリ８１及び８３〜９３を追加したものである。尚、その他、図５に示す機能モジュールと同一の符号が付されている機能モジュール各々の動作は図５に示すものと同一であるので、その説明は省略する。
【００５４】
図８において、メモリ８１は、第１アドレス生成回路５１によって生成された上記符号化アドレスデータＡＤ１を順次記憶する。又、メモリ８１は、記録再生制御回路９４からメモリアクセス信号Ｍ１が供給されている間は、記憶した順に上記符号化アドレスデータＡＤ１を読み出し、これを符号化アドレスデータＡＤとして誤り検出・訂正回路８２に供給する。
【００５５】
メモリ８３は、第２アドレス生成回路５２によって生成された上記符号化アドレスデータＡＤ２を順次記憶する。又、メモリ８３は、記録再生制御回路９４からメモリアクセス信号Ｍ２が供給されている間は、記憶した順に上記符号化アドレスデータＡＤ２を読み出し、これを符号化アドレスデータＡＤとして誤り検出・訂正回路８２に供給する。
【００５６】
メモリ８４は、第３アドレス生成回路５３によって生成された上記符号化アドレスデータＡＤ３を順次記憶する。又、メモリ８４は、記録再生制御回路９４からメモリアクセス信号Ｍ３が供給されている間は、記憶した順に上記符号化アドレスデータＡＤ３を読み出し、これを符号化アドレスデータＡＤとして誤り検出・訂正回路８２に供給する。
【００５７】
メモリ８５は、第４アドレス生成回路５４によって生成された上記符号化アドレスデータＡＤ４を順次記憶する。又、メモリ８５は、記録再生制御回路９４からメモリアクセス信号Ｍ４が供給されている間は、記憶した順に上記符号化アドレスデータＡＤ４を読み出し、これを符号化アドレスデータＡＤとして誤り検出・訂正回路８２に供給する。
【００５８】
誤り検出・訂正回路８２は、メモリ８１、８３、８４、又は８５から供給された符号化アドレスデータＡＤに対して誤り検出処理を施してその誤り検出結果を表す誤り検出結果信号ＥＲをメモリ９０〜９３の各々に供給する。更に、誤り検出・訂正回路８２は、上記符号化アドレスデータＡＤに対して誤り訂正処理を施して、誤り訂正された訂正アドレスデータＡをメモリ８６〜８９の各々に供給する。
【００５９】
尚、上記誤り検出結果信号ＥＲは、例えば、以下の４通りの誤り状態Ｃ０〜Ｃ３を表す。
Ｃ０：誤り無し
Ｃ１：誤り訂正可能、１符号ブロック内の誤り個数＝１個
Ｃ２：誤り訂正可能、１符号ブロック内の誤り個数＝２個
Ｃ３：誤り訂正不可能
メモリ８６は、記録再生制御回路９４からメモリアクセス信号Ｍ１が供給されている間は、誤り検出・訂正回路８２から供給された訂正アドレスデータＡを訂正アドレスデータＡ１として順次記憶する。又、メモリ８６は、誤り判定回路５６から選択信号Ｓ１が供給されている間は、記憶した順に上記訂正アドレスデータＡ１を読み出し、これを再生ディスクアドレスＡＤＲとして記録再生制御回路８０に供給する。
【００６０】
メモリ８７は、記録再生制御回路９４からメモリアクセス信号Ｍ２が供給されている間は、誤り検出・訂正回路８２から供給された訂正アドレスデータＡを訂正アドレスデータＡ２として順次記憶する。又、メモリ８７は、誤り判定回路５６から選択信号Ｓ２が供給されている間は、記憶した順に上記訂正アドレスデータＡ２を読み出し、これを再生ディスクアドレスＡＤＲとして記録再生制御回路８０に供給する。
【００６１】
メモリ８８は、記録再生制御回路９４からメモリアクセス信号Ｍ３が供給されている間は、誤り検出・訂正回路８２から供給された訂正アドレスデータＡを訂正アドレスデータＡ３として順次記憶する。又、メモリ８８は、誤り判定回路５６から選択信号Ｓ３が供給されている間は、記憶した順に上記訂正アドレスデータＡ３を読み出し、これを再生ディスクアドレスＡＤＲとして記録再生制御回路８０に供給する。
【００６２】
メモリ８９は、記録再生制御回路９４からメモリアクセス信号Ｍ４が供給されている間は、誤り検出・訂正回路８２から供給された訂正アドレスデータＡを訂正アドレスデータＡ４として順次記憶する。又、メモリ８８は、誤り判定回路５６から選択信号Ｓ３４供給されている間は、記憶した順に上記訂正アドレスデータＡ４を読み出し、これを再生ディスクアドレスＡＤＲとして記録再生制御回路８０に供給する。
【００６３】
メモリ９０は、記録再生制御回路９４からメモリアクセス信号Ｍ１が供給されている間は、誤り検出・訂正回路８２から供給された誤り検出結果信号ＥＲを記憶する。又、メモリ９０は、記録再生制御回路９４からメモリリード信号ＲＤが供給されている間は、記憶した上記誤り検出結果信号ＥＲを読み出し、これを誤り検出結果信号ＥＲ１として誤り判定回路５６に供給する。
【００６４】
メモリ９１は、記録再生制御回路９４からメモリアクセス信号Ｍ２が供給されている間は、誤り検出・訂正回路８２から供給された誤り検出結果信号ＥＲを記憶する。又、メモリ９１は、記録再生制御回路９４からメモリリード信号ＲＤが供給されている間は、記憶した上記誤り検出結果信号ＥＲを読み出し、これを誤り検出結果信号ＥＲ２として誤り判定回路５６に供給する。
【００６５】
メモリ９２は、記録再生制御回路９４からメモリアクセス信号Ｍ３が供給されている間は、誤り検出・訂正回路８２から供給された誤り検出結果信号ＥＲを記憶する。又、メモリ９２は、記録再生制御回路９４からメモリリード信号ＲＤが供給されている間は、記憶した上記誤り検出結果信号ＥＲを読み出し、これを誤り検出結果信号ＥＲ３として誤り判定回路５６に供給する。
【００６６】
メモリ９３は、記録再生制御回路９４からメモリアクセス信号Ｍ４が供給されている間は、誤り検出・訂正回路８２から供給された誤り検出結果信号ＥＲを記憶する。又、メモリ９３は、記録再生制御回路９４からメモリリード信号ＲＤが供給されている間は、記憶した上記誤り検出結果信号ＥＲを読み出し、これを誤り検出結果信号ＥＲ４として誤り判定回路５６に供給する。
【００６７】
記録再生制御回路９４は、先ず、上記メモリアクセス信号Ｍ１〜Ｍ４の内のＭ１のみをメモリ８１、８６及び９０に供給する。これにより、第１アドレス生成回路５１によって生成された符号化アドレスデータＡＤ１がメモリ８１を介して誤り検出・訂正回路８２に供給され、その誤り訂正結果がメモリ８６、誤り検出結果がメモリ９０に夫々記憶される。つまり、符号化アドレスデータＡＤ１に対する誤り訂正結果である訂正アドレスデータＡ１がメモリ８６に記憶されると共に、符号化アドレスデータＡＤ１に対する誤り検出結果である誤り検出結果信号ＥＲ１がメモリ９０に記憶されるのである。
【００６８】
次に、記録再生制御回路９４は、上記メモリアクセス信号Ｍ１〜Ｍ４の内のＭ２のみをメモリ８３、８７及び９１に供給する。これにより、第２アドレス生成回路５２によって生成された符号化アドレスデータＡＤ２がメモリ８３を介して誤り検出・訂正回路８２に供給され、その誤り訂正結果がメモリ８７、誤り検出結果がメモリ９１に夫々記憶される。つまり、符号化アドレスデータＡＤ２に対する誤り訂正結果である訂正アドレスデータＡ２がメモリ８７に記憶されると共に、符号化アドレスデータＡＤ２に対する誤り検出結果である誤り検出結果信号ＥＲ２がメモリ９１に記憶されるのである。
【００６９】
次に、記録再生制御回路９４は、上記メモリアクセス信号Ｍ１〜Ｍ４の内のＭ３のみをメモリ８４、８８及び９２に供給する。これにより、第３アドレス生成回路５３によって生成された符号化アドレスデータＡＤ３がメモリ８４を介して誤り検出・訂正回路８２に供給され、その誤り訂正結果がメモリ８８、誤り検出結果がメモリ９２に夫々記憶される。つまり、符号化アドレスデータＡＤ３に対する誤り訂正結果である訂正アドレスデータＡ３がメモリ８８に記憶されると共に、符号化アドレスデータＡＤ３に対する誤り検出結果である誤り検出結果信号ＥＲ３がメモリ９２に記憶されるのである。
【００７０】
次に、記録再生制御回路９４は、上記メモリアクセス信号Ｍ１〜Ｍ４の内のＭ４のみをメモリ８５、８９及び９３に供給する。これにより、第４アドレス生成回路５４によって生成された符号化アドレスデータＡＤ４がメモリ８５を介して誤り検出・訂正回路８２に供給され、その誤り訂正結果がメモリ８９、誤り検出結果がメモリ９３に夫々記憶される。つまり、符号化アドレスデータＡＤ４に対する誤り訂正結果である訂正アドレスデータＡ４がメモリ８９に記憶されると共に、符号化アドレスデータＡＤ４に対する誤り検出結果である誤り検出結果信号ＥＲ３がメモリ９３に記憶されるのである。
【００７１】
次に、記録再生制御回路９４は、メモリリード信号ＲＤをメモリ８６〜９３に供給する。これにより、メモリ９０〜９３各々に記憶されていた誤り検出結果信号ＥＲ１〜ＥＲ４の各々が誤り判定回路５６に供給される。
誤り判定回路５６は、先ず、誤り検出結果信号ＥＲ１〜ＥＲ４の内で、訂正可能な誤り個数（１符号ブロックあたりの誤り数）の最も少ない誤り状態、つまり訂正可能でありかつ誤り率の最も低い誤り状態を表す誤り検出結果信号ＥＲを選出する。そして、誤り判定回路５６は、メモリ８６〜８９の内から、上述した如く選出された誤り検出結果信号ＥＲに対応した訂正アドレスデータＡが記憶されているメモリに対してのみ選択信号Ｓを供給する。すなわち、選出された誤り検出結果信号ＥＲが訂正アドレスデータＡ１に対応したものである場合、誤り判定回路５６は、選択信号Ｓ１をメモリ８６に供給する。又、選出された誤り検出結果信号ＥＲが訂正アドレスデータＡ２に対応したものである場合、誤り判定回路５６は、選択信号Ｓ２をメモリ８７に供給する。又、選出された誤り検出結果信号ＥＲが訂正アドレスデータＡ３に対応したものである場合、誤り判定回路５６は、選択信号Ｓ３をメモリ８８に供給するのである。又、選出された誤り検出結果信号ＥＲが訂正アドレスデータＡ４に対応したものである場合、誤り判定回路５６は、選択信号Ｓ４をメモリ８９に供給するのである。この際、メモリ８６〜８９のいずれか１つから読み出された訂正アドレスデータＡは、再生ディスクアドレスＡＤＲとして記録再生制御回路９４に供給される。
【００７２】
記録再生制御回路９４は、ユーザからの各種操作に応じてこの情報記録再生装置の各種記録動作及び再生動作を実施させるべく、記録再生ヘッド３２、スピンドルモータ３３及び記録再生ヘッド３２をディスク半径方向に移送せしめるスライダ機構（図示せぬ）を制御する。尚、記録動作時には、記録再生制御回路９４は、記録ディスク３０上の所望のディスク位置から記録を開始させるべく、上記再生ディスクアドレスＡＤＲに基づきそのディスク位置の検索を行う。
【００７３】
以上の如く、図３（又は図５）に示す構成を図７（又は図８）に示す如き構成に変更することにより、各変調方式毎に復調されたディスクアドレスの各々を単一の誤り検出・訂正回路にて誤り検出・訂正処理が可能になる。
【図面の簡単な説明】
【図１】記録ディスクを製造する為の原盤記録装置の構成を示す図である。
【図２】アドレス信号の多重化形態の一例を示す図である。
【図３】情報記録再生装置の構成の一例を示す図である。
【図４】記録再生ヘッド３２に搭載されている光検出器２０ａ〜２０ｄの配置を示す図である。
【図５】情報記録再生装置の構成の他の一例を示す図である。
【図６】合成回路５０の内部構成の一例を示す図である。
【図７】図３に示す情報記録再生装置の変形例を示す図である。
【図８】図５に示す情報記録再生装置の変形例を示す図である。
【符号の説明】
３０　記録ディスク
３７　第１復調回路
３８　第２復調回路
３９　第３復調回路
４０、５１　第１アドレス生成回路
４２、５２　第２アドレス生成回路
４４、５３　第３アドレス生成回路
４１、４３、４５、５５、５８、５９、６０、７１、８２　誤り検出・訂正回路
４６、５７　セレクタ
４７、５６　誤り判定回路
４８、８０、９４　記録再生制御回路
５０　合成回路
【図１】
2004071121.tif 000003
【図２】
2004071121.tif 000004
【図３】
2004071121.tif 000005
【図４】
2004071121.tif 000006
【図５】
2004071121.tif 000007
【図６】
2004071121.tif 000008
【図７】
2004071121.tif 000009
【図８】
2004071121.tif 000010